(57)【要約】【課題】第１の目的は、簡易な構成により便鉢の周囲に形成されるスカート部の汚染を防止する意匠性に優れた洋風便器装置を提供することにあり、更に、第２の目的は、スカート部とともに便鉢の上縁に形成されるリム部への汚染も防止する意匠性に優れた洋風便器装置を提供する。【解決手段】便鉢１３の周囲に形成されるスカート部１２と、便鉢１３の上縁に形成されるリム部１１とを備えた洋風便器装置１０において、スカート部１２を覆うスカート対応部２２と、リム部１１を覆うリム対応部２１とを有し、それらの部分を柔軟性のある合成樹脂材で一体的に形成した便器カバー２０を、リム部１１の上方に載置させて着脱可能に取付けた構造にするとともに、リム部１１、スカート部１２のうち、便器カバー２０で覆われる部分の外面を、便器カバー２０の肉厚に応じて凹ませた形状１１ｂ、１２ｂとしている。【選択図】図１
2007255145.tif 000002
【特許請求の範囲】
【請求項１】
便鉢の周囲に形成されるスカート部と、便鉢の上縁に形成されるリム部とを備えた洋風便器装置において、
スカート対応部を少なくとも有した、柔軟性のある合成樹脂材で一体的に形成した便器カバーを着脱可能に取付けるとともに、前記スカート対応部で覆われる前記スカート部の外面を、前記便器カバーの肉厚に応じて凹ませた形状としていることを特徴とする洋風便器装置。
【請求項２】
請求項１において、
前記便器カバーは、リム対応部を更に有しており、該リム対応部を前記リム部の上方に載置させて覆うとともに、該リム部、前記スカート部のうち、該便器カバーで覆われる部分の外面を、該便器カバーの肉厚に応じて凹ませた形状としていることを特徴とする洋風便器装置。
【請求項３】
請求項１または２において、
前記便器カバーは、透明の樹脂材で形成されていることを特徴とする洋風便器装置。
【請求項４】
請求項１乃至３のいずれか１項において、
前記便器カバーは、抗菌性素材を塗布あるいは含有していることを特徴とする洋風便器装置。
【発明の詳細な説明】
【技術分野】
【０００１】
本発明は、洋風便器装置に関し、詳しくは、便器カバーを備えた洋風便器装置の改良に関するものである。
【背景技術】
【０００２】
従来の洋風便器装置においては、特に男性が立姿にて使用する場合に、便鉢の周囲に形成されるスカート部や便鉢の上縁に形成されるリム部が、尿などの飛散等により汚染されるという問題があった。
【０００３】
また、従来の洋風便器装置の便器は、陶器製や樹脂材などから形成されているが、多くは単一色で薄い色調からなり視覚的に味気のないものであった。
【０００４】
このような問題を解決するため、特開平１０−２８６６２号公報（特許文献１）では、図７に示すように、トイレの床面に敷くトイレマット２に、立て部１が一体に設けられ、立て部１で便器のスカート部を覆い、平ゴム紐３が備える面ファスナー４、４ｂで便器後方に係止する布製の便器カバーが提案されている。
【０００５】
しかしながら、前記構成によれば、布製であるためそこから尿や水分などが染み込んだ場合は、乾きが遅く、容易に拭き取ることも出来ないため、不衛生であった。
【０００６】
また、便器の表面に布を巻くように取付けられるため、便器との一体性もなく、その意匠性は必ずしも良いものではなかった。
【０００７】
さらに、立て部１の上端周縁５はスカート部の上端周縁と略同高さ、あるいは低く形成されているため、リム部上面を覆うものではなく、リム部への汚れの付着を防止することができないという問題もあった。
【特許文献１】特開平１０−２８６６２号公報
【発明の開示】
【発明が解決しようとする課題】
【０００８】
本発明は、前記問題を解決するために提案されたもので、その第１の目的は、簡易な構成により便鉢の周囲に形成されるスカート部の汚染を防止する意匠性に優れた洋風便器装置を提供することにあり、更に、第２の目的は、スカート部とともに便鉢の上縁に形成されるリム部への汚染も防止する意匠性に優れた洋風便器装置を提供することにある。
【課題を解決するための手段】
【０００９】
前記目的を達成するために、請求項１に記載の洋風便器装置は、便鉢の周囲に形成されるスカート部と、便鉢の上縁に形成されるリム部とを備えた洋風便器装置において、スカート対応部を少なくとも有した、柔軟性のある合成樹脂材で一体的に形成した便器カバーを着脱可能に取付けるとともに、前記スカート対応部で覆われる前記スカート部の外面を、前記便器カバーの肉厚に応じて凹ませた形状としていることを特徴とする。
【００１０】
請求項２では、請求項１において、便器カバーは、リム対応部を更に有しており、該リム対応部を前記リム部の上方に載置させて覆うとともに、該リム部、前記スカート部のうち、該便器カバーで覆われる部分の外面を、該便器カバーの肉厚に応じて凹ませた形状としていることを特徴とする。
【００１１】
請求項３では、請求項１または２において、便器カバーは、透明の樹脂材で形成されていることを特徴とする。
【００１２】
請求項４では、請求項１乃至３のいずれか１項において、便器カバーは、抗菌性素材を塗布あるいは含有していることを特徴とする。
【発明の効果】
【００１３】
請求項１乃至４に記載の洋風便器装置によれば、スカート対応部を少なくとも有した便器カバーを、スカート部に着脱可能に取付ける構造にすることにより、スカート部の汚染を防止することができる。
【００１４】
また、スカート対応部で覆われるスカート部の外面を、便器カバーの肉厚に応じて凹ませた形状としているため、便器カバーをスカート部に取付けた後は、便器と一体化した外観となり意匠性に優れたものとなる。
【００１５】
さらに、便器カバーは柔軟性のある合成樹脂材で一体的に形成されるため、清掃や収納も容易に行うことができる。
【００１６】
請求項２では、便器カバーは、リム部を覆うリム対応部を更に有しており、リム対応部をリム部の上方に載置させて着脱可能に取付ける構造であるため、スカート部及びリム部の汚染を防止することができるとともに、リム対応部でリム部を覆い隠すようにして載置するので着脱が容易である。
【００１７】
また、リム部、スカート部のうち、便器カバーで覆われる部分の外面を、便器カバーの肉厚に応じて凹ませた形状としているため、便器カバーをリム部、スカート部に取付けた後は、便器と一体化した外観となり意匠性に優れたものとなる。
【００１８】
請求項３では、洋風便器装置が備える便器カバーは、透明の樹脂材で形成されているため、スカート部に照明装置などを設けた場合に、照明装置を保護するとともに透光性を確保することができる。
また、スカート部と便器カバーの間に、絵や写真などを挿入することができ、趣向性及び意匠性に優れたものとなる。
【００１９】
請求項４では、洋風便器装置が備える便器カバーは、抗菌性素材を塗布あるいは含有していることにより、細菌の発育や増殖を阻止して、便器カバーを清潔に保つことができる。
【発明を実施するための最良の形態】
【００２０】
以下に、本発明の実施の形態について、図面を参照しながら説明する。
【実施例１】
【００２１】
図１乃至図３は、本実施例に係る洋風便器装置を示し、図１は、便器カバーを洋風便器装置に取付けた状態を示す斜視図、図２（ａ）、（ｂ）は、洋風便器装置のリム部の概略縦断面図、図３は、便器カバーと、便器カバーを装着する前の洋風便器装置の斜視図である。
【００２２】
本実施例の洋風便器装置１０は、図１、図３に示すように、便鉢１３の周囲に形成されるスカート部１２と、便鉢１３の上縁に形成されるリム部１１を備え、便鉢１３の後方に便座１４及び便蓋１５が回動自在に枢着されている。
また、リム部１１及びスカート部１２の、後述する便器カバー２０で覆われる部分の外面を、便器カバー２０の肉厚に応じて凹ませた形状、すなわち、リム凹形状部１１ｂとスカート凹形状部１２ｂを形成している。
これにより、便器カバー２０を装着したときに、図１に示すように、リム部１１及びスカート部１２と、便器カバー２０とに段差が生じず、洋風便器装置と一体化した外観となり意匠性に優れたものとなる。
尚、図３では、本実施例の理解を容易とするために、スカート段差部１２ｄ及びリム段差部１１ｄのそれぞれの段差は比較的大きな段差を図示しているが、便器カバー２０の肉厚に応じた段差とすればよく、例えば、便器カバーの肉厚が５ｍｍであれば、それに応じて、リム部１１及びスカート部１２に形成される段差も５ｍｍとすればよい。
【００２３】
ここで、本実施例では、スカート部１２の外周面が略平坦でスマートな形状の洋風便器装置を例示しているが、これに限られず、例えば、スカート部１２の下部が湾曲して括れたタイプにも適用可能である。
これにより、便器カバー２０を取付けた後は、外観が略平坦でスマートな形状となり異なる趣を奏することができる。
この場合、便器カバーのスカート対応部は、構造上から便器のスカート部の括部との間に空間を生じてしまうが、便器カバーを被せた部分と、それに連続する他の部分との境界部では隙間を生じないように係止手段やシール材を設ければよい。
【００２４】
便器カバー２０は、スカート部１２を覆うスカート対応部２２と、リム部１１を覆うリム対応部２１とを有し、それらの部分を柔軟性のある合成樹脂材で一体的に形成している。
ここで、柔軟性のある合成樹脂材は、ポリプロピレンやポリ塩化ビニルなどの熱可塑性樹脂、ポリウレタンなどの熱硬化性樹脂など、柔軟性があり前述のようにスカート対応部２２とリム対応部２１が一体的に形成できる素材であればどのようなものでも適用できるが、本実施例では、成形性及びコスト面からポリプロピレンを適用し例示している。
前記のように、便器カバー２０は、柔軟性があるため、着脱や清掃も容易であり、また、便器へ装着していない状態においては、その柔軟性により、ある程度、折り畳め、変形が可能となり、収納も容易な便器カバーとなる。
また、便器へ装着した場合には、便器の形状に併せて便器と一体化した保形性を有する外観となる。
【００２５】
尚、便器カバー２０を透明の樹脂材で形成してもよい。
これにより、スカート部１２に照明装置などを設けた場合に、照明装置を保護するとともに透光性を確保することができる。
また、スカート部１２と便器カバー２０の間に、絵や写真などを挿入することができ、趣向性及び意匠性に優れたものとなる。
【００２６】
さらに、便器カバー２０に、抗菌性素材を塗布あるいは含有させる構成としてもよい。
これにより、細菌の発育や増殖を阻止して、便器カバー２０を清潔に保つことができる。
【００２７】
尚、本実施例では、便器カバー２０上面視略Ｕ字形状は、便鉢１３の開口、すなわち、リム部１１により形成される上面視略Ｏ字形状の開口の、立姿使用者から見て、中心より若干、後方までを覆うように便器カバー２０を形成しているが、これに限られず、より後方までを覆うように形成してもよく、あるいは、より手前までのみを覆うように形成してもよい。
【００２８】
次に、本実施例のスカート部１２、リム部１１及び便器カバー２０の構造を図２（ａ）、（ｂ）に基づいて説明する。
便器カバー２０は、スカート部１２に形成されるスカート凹形状部１２ｂと便器カバー２０のスカート対応部２２が当接し、スカート部１２の外周面を覆う構成としている。
また、リム部１１に形成されるリム凹形状部１１ｂに便器カバー２０のリム対応部２１を載置して、リム部１１の上面とリム部内側壁１１ａを覆う構成としている。
すなわち、便器カバー２０のスカート対応部２２の上方とリム対応部２１とでスカート部１２の上方とリム部１１を嵌合するように覆う構成となっている。
【００２９】
さらに、本実施例では、リム部１１の上面とリム部内側壁１１ａに対応する便器カバー２０の裏面にシール材３０を敷設するとともに、リム対応部２１のリム部内側壁１１ａに対応する部分は、リム部内側壁下端周縁１１ｃよりもリム対応部内側壁下端周縁２１ｃが下方となるように形成している。
これにより、便鉢１３内から飛散する尿などでリム部１１が汚染されることを防止するとともに、リム対応部２１とリム部１１の隙間に入り込むことを防止できる。
また、弾性のあるシール材を適用すれば、便座１４を閉じて座姿にて使用する場合でもガタつきを防止することができるともに、シール材のその弾性により、便器カバー２０をリム部１１、スカート部１２に確実に嵌合させることができる。
【００３０】
尚、図２では、スカート凹形状部１２ｂ及びリム部凹形状部１１ｂの肉厚と比較して便器カバー２０の肉厚を比較的、厚く示しているが、これに限られず、ある程度の定型性を有しながらも柔軟性を有するものであれば、例えば、３ｍｍ程度から１０ｍｍ程度の肉厚でもよい。
【００３１】
便器カバー２０をスカート部１２及びリム部１１に取付ける場合は、図３に示すように、便器カバー２０をリム部１１のリム凹形状部１１ｂに載置させて取付ける構造としている。
本実施例では、便器カバー２０の上方は、前述のように、リム対応部２１をリム部１１に嵌合させて取付け、その下方は、便器カバー２０のスカート対応部２２の下方両端に嵌合突起２２ａを設け、スカート部１２のスカート凹形状部１２ｂを形成している基端、すなわち、スカート段差部１２ｄの下方両端に、嵌合凹部１２ａを設けて、夫々嵌合する構成としている。
これにより、便器カバー２０は、上方及び下方において、確実にリム部１１及びスカート部１２に取付けることができる。
【００３２】
尚、本実施例では、便器カバー２０の下方を前述のように嵌合突起２２ａと嵌合凹部１２ａにより嵌合させる構成としているが、便器カバー２０の下方をスカート凹形状部１２ｂの下方に係止させる手段であればどのようなものでもよく、例えば、スカート凹形状部１２ｂの下方に、金属片などを埋設あるいは貼着し、それに対応するスカート対応部２２の裏面に、ラバー磁石やプラスチック磁石などの可撓性磁石を埋設あるいは貼着し、磁力により取付ける構成としてもよい。
また、磁石の代わりに粘着テープや、平面ファスナー、ボタン、フックなどの公知の係止手段により便器カバー２０の下方をスカート凹形状部１２ｂに取付ける構成としてもよい。
【００３３】
さらに、便器カバー２０の下方をスカート凹形状部１２ｂの下方に係止させる手段を複数設けても良く、あるいは、下方だけでなく、例えば、スカート段差部１２ｄ及びスカート対応部２２の下端から上端にまで、連続的に設けてもよい。
これにより、便器カバー２０をスカート部１２に確実に係止することができ、スカート段差部１２ｄとスカート対応部２２の間に隙間が形成されず、尿などが入り込むことを防止できる。
【００３４】
前記のような構成により、洋風便器装置１０のリム部１１及びスカート部１２が尿などの飛散等により汚染されるのを防止するとともに、便器カバー２０の前面や両側面に絵や広告、模様などを著したり、模様替え、着せ替え等も容易に行う事が出来、意匠性、趣向性に優れた洋風便器装置となる。
【００３５】
次に、本実施例の変形例を図４に基づいて説明する。
図４（ａ）乃至（ｃ）は、図１における一点鎖線で示した部分の変形例を示す、概略要部拡大横断面図、すなわち、便器カバー２０のスカート対応部２２と、スカート部１２のスカート段差部１２ｄとを当接した部分を示している。これらは、それぞれの下方などを図示しない係止手段を用いて結合されるようになっている。
【００３６】
図４（ａ）では、スカート部１２に形成されるスカート凹形状部１２ｂのスカート段差部１２ｄをテーパ状の斜面となるように形成し、それに対応させて、便器カバー２０のスカート対応部２２の端縁を先細に形成している例を示している。
これにより、多少の位置ずれが生じてもスカート段差部１２ｄとスカート対応部２２の間に隙間や段差が形成されることを防止することができる。
【００３７】
図４（ｂ）では、スカート部１２に形成されるスカート凹形状部１２ｂのスカート段差部１２ｄに、シール材３０を敷設している例を示している。
これにより、スカート段差部１２ｄとスカート対応部２２の間に隙間が形成されず、尿などが入り込むことを防止できる。
【００３８】
図４（ｃ）では、スカート部１２に形成されるスカート凹形状部１２ｂのスカート段差部１２ｄに、シール材３０を敷設するとともに、シール材３０はテーパ状の斜面となるように形成し、それに対応させて、便器カバー２０のスカート対応部２２の端縁を先細に形成している例を示している。
これにより、多少の位置ずれが生じてもスカート段差部１２ｄとスカート対応部２２の間に隙間や段差が形成されることを防止することができるとともに、尿などが入り込むことを防止できる。
【００３９】
尚、図では、理解を容易とするために、スカート凹形状部１２ｂとスカート対応部２２との間に隙間が形成されているが、当接させる構成としてもよい。
また、スカート段差部１２ｄ、スカート対応部２２を前記のような構成とするだけでなく、リム段差部１１ｄ、リム対応部２１も同様の構成としてもよい。
これにより、便器カバー２０と、リム部１１及びスカート部１２の間に隙間が形成されず、より確実に尿などがリム部１１及びスカート部１２に入り込むことを防止する事が出来る。
【００４０】
さらに、スカート凹形状部１２ｂの下端に、その周状にシール材３０を敷設する構成としてもよい。
これにより、便器カバー２０の下端とスカート凹形状部１２ｂの下端から水や汚物などが入り込むことを防止することができる。
【実施例２】
【００４１】
図５及び図６は、本実施例に係る洋風便器装置を示し、図５は、便器カバーを洋風便器装置に取付けた状態を示す斜視図、図６は、便器カバーと、便器カバーを装着する前の洋風便器装置の斜視図である。
【００４２】
実施例１との相違点は、便器カバー５０は、スカート部１２のみを覆うスカート対応部２２を有する構成とし、スカート部１２の便器カバー５０で覆われる部分の外面を、便器カバー５０の肉厚に応じて凹ませた形状、すなわち、スカート凹形状部１２ｂを形成している点である。
【００４３】
本実施例では、便器カバー５０のスカート部１２への取付構造は、図６に示すように、スカート部１２のスカート段差部１２ｄの上方と下方の両端に嵌合凹部１２ａを設け、便器カバー５０のそれに対応する箇所に嵌合突起２２ａを設けて、夫々嵌合する構成としている。
これにより、便器カバー５０は、上方及び下方において、確実にスカート部１２に取り付けることができる。
尚、便器カバー５０のスカート部１２への取付構造は、これに限られず、実施例１で例示した他の公知の係止手段を用いてもよく、また、便器カバー５０の左右両端ではなく、上端縁と、スカート部１２のそれに対応する箇所に係止手段を設ける構成としてもよい。
【００４４】
前記のような構成により、洋風便器装置４０のスカート部１２が尿などの飛散等により汚染されるのを防止するとともに、前述の実施例１で記載した効果に加えて、例えば、両面に異なる模様などを著して表裏兼用として使用することも可能となる。
また、実施例１と同様に便器カバー５０は柔軟性を有するため、スカート部１２が湾曲して括れたタイプにも適用が可能であるが、本実施例のように、スカート部１２の外周面が湾曲しておらず平坦なものに適用する場合には、便器カバー５０は、その展開した状態では平面形状とすれば良いため、成形性に優れたものとなる。
尚、他の構成は実施例１と同様であるため説明を省略する。
【図面の簡単な説明】
【００４５】
【図１】本発明の洋風便器装置の一実施例（便器カバーを装着した状態）を示す斜視図である。
【図２】本発明に係る洋風便器装置のリム部の概略縦断面図を示し、（ａ）はリム部の前方部分の縦断面図、（ｂ）は、（ａ）の一点鎖線で示した部分の拡大縦断面図である。
【図３】便器カバーと、便器カバーを装着する前の洋風便器装置の分解斜視図である。
【図４】（ａ）乃至（ｃ）は、本発明の洋風便器装置の変形例を示し、図１における一点鎖線で示した部分の概略要部拡大横断面図である。
【図５】本発明に係る洋風便器装置の他の実施例（便器カバーを装着した状態）を示す斜視図である。
【図６】他の実施例の便器カバーと、便器カバーを装着する前の洋風便器装置の分解斜視図である。
【図７】従来例を示す図である。
【符号の説明】
【００４６】
１０      洋風便器装置（実施例１）
１１      リム部
１１ａ      リム部内側壁
１１ｂ      リム凹形状部
１１ｃ      リム部内側壁下端周縁
１１ｄ      リム段差部
１２      スカート部
１２ａ      嵌合凹部
１２ｂ      スカート凹形状部
１２ｄ      スカート段差部
１３      便鉢
１４      便座
１５      便蓋
２０      便器カバー（実施例１）
２１      リム対応部
２１ａ      リム対応部内側壁
２１ｃ      リム対応部内側壁下端周縁
２２      スカート対応部
２２ａ      嵌合突起
３０      シール材
４０      洋風便器装置（実施例２）
５０      便器カバー（実施例２）
【図１】
2007255145.tif 000003
【図２】
2007255145.tif 000004
【図３】
2007255145.tif 000005
【図４】
2007255145.tif 000006
【図５】
2007255145.tif 000007
【図６】
2007255145.tif 000008
【図７】
2007255145.tif 000009